(57)【要約】【課題】本発明は、居室内の人の在／不在の状況を照明装置の状態より判定し、空調設備の運転モードを切り換える設備制御システム及び設備制御装置を提案することを目的とする。【解決手段】居室Ｒ１〜Ｒｎそれぞれに設置されたスイッチ５から信号を設備制御装置１が受けることで、居室Ｒ１〜Ｒｎそれぞれの照明装置６の点灯状態を認識する。そして、設備制御装置１は、居室Ｒ１〜Ｒｎそれぞれの照明装置６の点灯状態に応じて、居室Ｒ１〜Ｒｎそれぞれにおける人の在／不在を判定し、居室Ｒ１〜Ｒｎに設置される空調制御装置２の運転モードを最適なものに設定する。【選択図】図１
2010276212.tif 000002
【特許請求の範囲】
【請求項１】
居室内の室内環境を調整する空調設備装置と、該空調設備装置を制御する空調制御装置と、を備え、前記空調制御装置が前記空調設備装置を制御して居室内の室内環境を設定値に調整する設備制御システムにおいて、
前記居室内に設置される照明装置の点灯状態を設定する照明設定部と、
該照明設定部及び前記空調制御装置のそれぞれと通信を行い、前記照明装置の点灯状態に応じて前記空調設備装置の制御動作を決定する設備制御装置と、
を備え、
前記設備制御装置が、前記照明設定部より前記照明装置の点灯状態が変更したことを受信したとき、前記設備制御装置が、前記照明装置の点灯状態の変更があった居室の前記空調設備装置を制御する前記空調制御装置に前記設定値を変更する指令を与えることを特徴とする設備制御システム。
【請求項２】
請求項１において、
前記空調制御装置は、前記空調設備装置から供給する風量を制御して、前記居室内の室内環境を調整し、
前記設備制御装置が、前記照明設定部より前記照明装置の点灯状態が変更したことを受信したとき、前記設備制御装置が、前記空調設備装置の風量を変更する指令を前記空調制御装置に与えることを特徴とする設備制御システム。
【請求項３】
請求項２において、
前記空調設備装置は、前記居室内への外気導入又は前記居室内の換気のいずれかにより、前記居室内の室内環境を調整することを特徴とする設備制御システム。
【請求項４】
請求項２又は請求項３において、
前記設備制御装置が、前記居室内の前記照明装置の所定数以下が消灯されたことを前記照明設定部より受信したときには、前記設備制御装置が、前記空調設備装置からの風量を低減させる設定値に変更する指令を前記空調制御装置に与え、前記空調制御装置の運転モードを通常モードから省エネルギーモードに変更させることを特徴とする設備制御システム。
【請求項５】
請求項１乃至請求項３のいずれか一項において、
前記設定値が前記居室内の室内温度を調整するための温度であり、
前記空調制御装置は、前記設定値となる温度に基づいて前記空調設備装置の冷房運転又は暖房運転を制御して、前記居室内の室内温度を調整し、
前記設備制御装置が、前記照明設定部より前記照明装置の点灯状態が変更したことを受信したとき、前記設備制御装置が、前記設定値となる温度を変更する指令を前記空調制御装置に与えることを特徴とする設備制御システム。
【請求項６】
請求項５において、
前記空調制御装置が冷房運転を行っている場合に、前記設備制御装置が、前記居室内の前記照明装置の所定数以下が消灯されたことを前記照明設定部より受信したときには、前記設備制御装置が、前記居室内の室内温度を高くする設定値に変更する指令を前記空調制御装置に与え、前記空調制御装置の運転モードを通常モードから省エネルギーモードに変更させる一方で、
前記空調制御装置が暖房運転を行っている場合に、前記設備制御装置が、前記居室内の前記照明装置の所定数以下が消灯されたことを前記照明設定部より受信したときには、前記設備制御装置が、前記居室内の室内温度を低くする設定値に変更する指令を前記空調制御装置に与え、前記空調制御装置の運転モードを通常モードから省エネルギーモードに変更させることを特徴とする設備制御システム。
【請求項７】
請求項４又は請求項６において、
前記設備制御装置は、前記空調制御装置を通常モードで強制的に動作させる禁止時間帯を記憶し、
前記空調制御装置が省エネルギーモードで動作している場合に、前記設備制御装置は、前記禁止時間帯であることを確認したとき、前記空調制御装置に通常モードで動作させることを特徴とする設備制御システム。
【請求項８】
請求句緒４又は請求項６において、
前記設備制御装置は、前記空調制御装置を省エネルギーモードで強制的に動作させる強制時間帯を記憶し、
前記空調制御装置が通常モードで動作している場合に、前記設備制御装置は、前記強制時間帯であることを確認したとき、前記空調制御装置に省エネルギーモードで動作させることを特徴とする設備制御システム。
【請求項９】
居室内に設置される照明装置の点灯状態を設定する照明設定部と通信を行う第１通信部と、
前記居室内の室内環境を調整する空調設備装置を制御する空調制御装置と通信を行う第２通信部と、
前記第１通信部から受信した前記照明装置の点灯状態に応じて、前記空調設備装置の制御動作を決定する空調管理部と、
を備え、
前記第１通信部が、前記照明設定部より前記照明装置の点灯状態が変更したことを受信したとき、前記空調管理部が、前記空調設備装置を制御する前記空調制御装置に前記設定値を変更する指令を生成し、更に、前記第２通信部が、前記照明装置の点灯状態の変更があった居室の前記空調設備装置を制御する前記空調制御装置に当該指令を送信することを特徴とする設備制御装置。
【請求項１０】
請求項９において、
前記設定値が前記空調設備装置からの風量を決定する値であり、
前記第１通信部が、前記居室内の前記照明装置の所定数以下が消灯されたことを前記照明設定部より受信したとき、前記空調管理部が、前記空調設備装置からの風量を低減させる設定値に変更する指令を生成し、更に、前記第２通信部が、当該指令を前記空調制御装置に送信して、前記空調制御装置の運転モードを通常モードから省エネルギーモードに切り換えることを特徴とする設備制御装置。
【請求項１１】
請求項９において、
前記設定値が前記居室内の室内温度を決定する値であり、
前記第１通信部が、前記居室内の前記照明装置の所定数以下が消灯されたことを前記照明設定部より受信したとき、
前記空調制御装置が冷房運転を行っている場合には、前記空調管理部が、前記居室内の室内温度を高くする設定値に変更する指令を生成し、更に、前記第２通信部が、当該指令を前記空調制御装置に送信して、前記空調制御装置の運転モードを通常モードから省エネルギーモードに切り換える一方で、
前記空調制御装置が暖房運転を行っている場合には、前記空調管理部が、前記居室内の室内温度を低くする設定値に変更する指令を生成し、更に、前記第２通信部が、当該指令を前記空調制御装置に送信して、前記空調制御装置の運転モードを通常モードから省エネルギーモードに切り換えることを特徴とする設備制御装置。
【請求項１２】
請求項１０又は請求項１１において、
前記空調管理部が、前記空調制御装置を通常モードで強制的に動作させる禁止時間帯を記憶し、
前記空調制御装置が省エネルギーモードで動作している場合に、前記禁止時間帯であることを確認したとき、前記空調制御装置に通常モードで動作させることを特徴とする設備制御装置。
【請求項１３】
請求句緒１０又は請求項１１において、
前記空調管理部が、前記空調制御装置を省エネルギーモードで強制的に動作させる強制時間帯を記憶し、
前記空調制御装置が通常モードで動作している場合に、前記強制時間帯であることを確認したとき、前記空調制御装置に省エネルギーモードで動作させることを特徴とする設備制御装置。
【発明の詳細な説明】
【技術分野】
【０００１】
本発明は、ビルや家屋などに設けられた複数の設備を制御する設備制御システム及び設備制御装置に関するもので、特に、居室内の室内環境を調整する空調設備を制御する設備制御システム及び設備制御装置に関する。
【背景技術】
【０００２】
居室などによる複数の空間領域に分割された建物には、各空間領域の室内環境を最適なものとする空調設備が空間領域毎に設置されるとともに、複数の空調設備の管理制御を行う設備制御システムが構築されている。このような設備制御システムとして、建物の管理室に設置した空調システム管理部によって、各居室に設けた空調設備を集中管理する空気調和管理システムが提供されている（特許文献１参照）。この特許文献１の空気調和管理システムに代表されるような設備制御システムでは、空調システム管理部により空調設備のＯＮ／ＯＦＦが制御できる。
【０００３】
このような設備制御システムでは、例えば、各居室の使用時間によるタイムテーブルを作成して記憶し、タイムテーブルに基づいて各居室の空調設備のＯＮ／ＯＦＦ制御を行うことで、システム全体の省エネルギー化を実現できる。即ち、タイムテーブルにより不使用であることが確認された居室に対して、その居室に設置された空調設備がＯＦＦとされるため、不要な空調設備をＯＮとすることがないことより、省エネルギー化が図られている。しかしながら、居室毎の使用時間によるタイムテーブルに基づいて空調設備のＯＮ／ＯＦＦ制御を行うとき、タイムテーブル上では居室の使用が確認されていても、実際に居室内に人が不在である場合がある。逆に、タイムテーブル上で居室の不使用が確認されていても、実際には居室内に人が存在している場合がある。
【０００４】
このように、タイムテーブルにより確認される居室の使用と、実際の使用状況とが違うため、居室の使用状況に応じた空調設備の制御がなされていないことがある。又、居室の使用状況に応じて空調設備のＯＮ／ＯＦＦ制御を行った場合、建物内に人が存在している時間帯であっても、不使用となる居室については空調設備がＯＦＦとなる。そのため、不使用となっていた居室に、その使用時間帯よりも早くに入室があっても、空調設備がＯＦＦであるため、居室内の室内環境が外気に影響された環境となり、使用時間帯となるまで入室者にとって最適な室内環境とならないことがある。
【０００５】
又、部屋内の在室者の位置を細かく検出して、部屋内の在室者の位置に応じて空調及び照明を制御できるように、空調吹出口と照明器具とを備えたシステム天井モジュールにおいて、そのシステム天井モジュールの範囲を検知エリアとする人感センサを設けたものが提案されている（特許文献２参照）。このような構成のシステム天井モジュールが、部屋の天井に縦横に敷設されることで、各システム天井モジュールが、人感センサによる人の在／不在の検知結果に基づいて、空調及び照明を制御するため、在室者の位置に応じた空調制御及び照明制御がなされる。
【先行技術文献】
【特許文献】
【０００６】
【特許文献１】特開２００８−２８１３００号公報
【特許文献２】特開２００６−１２５７２７号公報
【発明の概要】
【発明が解決しようとする課題】
【０００７】
しかしながら、特許文献２のシステム天井モジュールは、システム天井モジュールが１つの空調設備装置として構成され、システム天井モジュール毎に、照明と空調が連動制御する構成であるだけでなく、空調及び照明を制御するために人感センサを必要とする構成である。そのため、従来の設備制御システムに対して、特許文献２のシステム天井モジュールによる制御システムを追加構成する場合、人の在／不在を検知するための人感センサを追加する必要があるだけでなく、既存の空調設備及び照明設備をシステム天井モジュールに変更する必要があり、その作業が繁雑なものとなる。
【０００８】
このような問題を鑑みて、本発明は、居室内の人の在／不在の状況を照明装置の状態より判定し、空調設備の運転モードを切り換える設備制御システム及び設備制御装置を提案することを目的とする。
【課題を解決するための手段】
【０００９】
上記目的を達成するために、本発明の設備制御システムは、居室内の室内環境を調整する空調設備装置と、該空調設備装置を制御する空調制御装置と、を備え、前記空調制御装置が前記空調設備装置を制御して居室内の室内環境を設定値に調整する設備制御システムにおいて、前記居室内に設置される照明装置の点灯状態を設定する照明設定部と、該照明設定部及び前記空調制御装置のそれぞれと通信を行い、前記照明装置の点灯状態に応じて前記空調設備装置の制御動作を決定する設備制御装置と、を備え、前記設備制御装置が、前記照明設定部より前記照明装置の点灯状態が変更したことを受信したとき、前記設備制御装置が、前記照明装置の点灯状態の変更があった居室の前記空調設備装置を制御する前記空調設備装置を制御する前記空調制御装置に前記設定値を変更する指令を与えることを特徴とする。
【００１０】
このとき、前記設備制御装置は、複数の居室における空調制御装置及び照明設定部それぞれと通信を行い、居室毎に、照明設定部より得られる照明装置の点灯状態に応じた、設定値の変更指令を空調制御装置に送信することができる。そして、設定値を変更することで、空調制御装置は、外環境に近い室内環境とする省エネルギーモードと、居室内に存在する人が快適に感じる室内環境とする通常モードで空調設備装置を制御するモードとの間で、その空調設備装置を制御するモードを切り換えられることとなる。又、照明設定部としては、照明装置の電源投入／遮断のための操作を受け付けるスイッチやコントローラであってもよいし、赤外線センサなどで構成されて人を感知したときに照明装置の電源投入／遮断を行う人感センサスイッチであってもよいし、受光センサなどで構成されて居室内の照度に応じて照明装置を調光制御する調光センサスイッチであってもよい。
【００１１】
又、前記空調制御装置は、前記空調設備装置から供給する風量を制御して、前記居室内の室内環境を調整し、前記設備制御装置が、前記照明設定部より前記照明装置の点灯状態が変更したことを受信したとき、前記設備制御装置が、前記空調設備装置の風量を変更する指令を前記空調制御装置に与えるものとしてもよい。このとき、前記空調設備装置は、前記居室内への外気導入又は前記居室内の換気のいずれかにより、前記居室内の室内環境を調整するものであってもよい。
【００１２】
そして、前記設備制御装置が、前記居室内の前記照明装置の所定数以下が消灯されたことを前記照明設定部より受信したときには、前記設備制御装置が、前記空調設備装置からの風量を低減させる設定値に変更する指令を前記空調制御装置に与えるものとし、前記居室内に人が存在しないと判断されるときは、省エネルギーモードで前記空調制御装置を動作させるものとしてもよい。
【００１３】
又、前記設定値が前記居室内の室内温度を調整するための温度であり、前記空調制御装置は、前記設定値となる温度に基づいて前記空調設備装置の冷房運転又は暖房運転を制御して、前記居室内の室内温度を調整し、前記設備制御装置が、前記照明設定部より前記照明装置の点灯状態が変更したことを受信したとき、前記設備制御装置が、前記設定値となる温度を変更する指令を前記空調制御装置に与えるものとしてもよい。
【００１４】
このとき、前記空調制御装置が冷房運転を行っている場合に、前記設備制御装置が、前記居室内の前記照明装置の所定数以下が消灯されたことを前記照明設定部より受信したときには、前記設備制御装置が、前記居室内の室内温度を高くする設定値に変更する指令を前記空調制御装置に与え、前記空調制御装置の運転モードを通常モードから省エネルギーモードに変更させる一方で、前記空調制御装置が暖房運転を行っている場合に、前記設備制御装置が、前記居室内の前記照明装置の所定数以下が消灯されたことを前記照明設定部より受信したときには、前記設備制御装置が、前記居室内の室内温度を低くする設定値に変更する指令を前記空調制御装置に与え、前記空調制御装置の運転モードを通常モードから省エネルギーモードに変更させるものとしてもよい。
【００１５】
上述の設備制御システムにおいて、前記設備制御装置は、前記空調制御装置を通常モードで強制的に動作させる禁止時間帯を記憶し、前記空調制御装置が省エネルギーモードで動作している場合に、前記設備制御装置は、前記禁止時間帯であることを確認したとき、前記空調制御装置に通常モードで動作させるものとしてもよい。又、前記設備制御装置は、前記空調制御装置を省エネルギーモードで強制的に動作させる強制時間帯を記憶し、前記空調制御装置が通常モードで動作している場合に、前記設備制御装置は、前記強制時間帯であることを確認したとき、前記空調制御装置に省エネルギーモードで動作させるものとしてもよい。
【００１６】
更に、前記設備制御装置と通信を行い、前記空調設備装置の動作状態を報知する報知装置を更に備え、前記設備制御装置は、前記居室内の前記照明装置全てが消灯となったことを前記照明設定部より受信した後、前記空調制御装置より前記空調設備装置の運転を停止した信号を一定時間受信しなかったときには、前記報知装置に前記空調設備装置の動作状態を通知して報知させるものとしてもよい。
【００１７】
本発明の設備制御装置は、居室内に設置される照明装置の点灯状態を設定する照明設定部と通信を行う第１通信部と、前記居室内の室内環境を調整する空調設備装置を制御する空調制御装置と通信を行う第２通信部と、前記第１通信部から受信した前記照明装置の点灯状態に応じて、前記空調設備の制御動作を決定する空調管理部と、を備え、前記第１通信部が、前記照明設定部より前記照明装置の点灯状態が変更したことを受信したとき、前記空調管理部が、前記空調設備装置を制御する前記空調制御装置に前記設定値を変更する指令を生成し、更に、前記第２通信部が、前記照明装置の点灯状態の変更があった居室の前記空調設備装置を制御する前記空調制御装置に当該指令を送信することを特徴とする。
【００１８】
そして、前記設定値が前記空調設備装置からの風量を決定する値であり、前記第１通信部が、前記居室内の前記照明装置の所定数以下が消灯されたことを前記照明設定部より受信したとき、前記空調管理部が、前記空調設備装置からの風量を低減させる設定値に変更する指令を生成し、更に、前記第２通信部が、当該指令を前記空調制御装置に送信して、前記空調制御装置の運転モードを通常モードから省エネルギーモードに切り換えるものとしてもよい。
【００１９】
又、前記設定値が前記居室内の室内温度を決定する値であり、前記第１通信部が、前記居室内の前記照明装置の所定数以下が消灯されたことを前記照明設定部より受信したとき、前記空調制御装置が冷房運転を行っている場合には、前記空調管理部が、前記居室内の室内温度を高くする設定値に変更する指令を生成し、更に、前記第２通信部が、当該指令を前記空調制御装置に送信して、前記空調制御装置の運転モードを通常モードから省エネルギーモードに切り換える一方で、前記空調制御装置が暖房運転を行っている場合には、前記空調管理部が、前記居室内の室内温度を低くする設定値に変更する指令を生成し、更に、前記第２通信部が、当該指令を前記空調制御装置に送信して、前記空調制御装置の運転モードを通常モードから省エネルギーモードに切り換えるものとしてもよい。
【００２０】
これらの設備制御装置において、前記空調管理部が、前記空調制御装置を通常モードで強制的に動作させる禁止時間帯を記憶し、前記空調制御装置が省エネルギーモードで動作している場合に、前記禁止時間帯であることを確認したとき、前記空調制御装置に通常モードで動作させるものとしてもよい。又、前記空調管理部が、前記空調制御装置を省エネルギーモードで強制的に動作させる強制時間帯を記憶し、前記空調制御装置が通常モードで動作している場合に、前記強制時間帯であることを確認したとき、前記空調制御装置に省エネルギーモードで動作させるものとしてもよい。
【００２１】
更に、前記空調設備装置の動作状態を報知する報知装置と通信を行う第３通信部を更に備え、前記第１通信部が、前記居室内の前記照明装置全てが消灯となったことを前記照明設定部より受信した後、前記空調制御装置より前記空調設備装置の運転を停止した信号を前記第２通信部が一定時間受信しなかったときには、前記第３通信部が、前記空調設備装置の動作状態を前記報知装置に通知して報知させるものとしてもよい。
【発明の効果】
【００２２】
本発明によると、受信した居室内の照明装置の点灯状態により、居室内の人の在／不在を判定し、空調設備を制御するための設定値を変更する指令を空調制御装置に与えることができる。即ち、照明装置の点灯状態を設定する照明設定部からの信号により、その居室内の空調制御装置に最適な運転モードによる制御動作を実現させることができるため、居室内を最適な室内環境に維持しながら、そのエネルギー消費の抑制をも図れる。よって、本発明の設備制御装置により、照明装置及び空調制御装置それぞれの構成を変えることなく、居室内の人の在／不在に応じた空調制御を行うことができ、省エネルギー化を図るシステムを容易に構築できる。
【図面の簡単な説明】
【００２３】
【図１】は、本発明の設備制御システムの構成を示すブロック図である。
【図２】は、図１に示す設備制御システムにおける設備制御装置の内部構成を示すブロック図である。
【図３】は、図２の設備制御装置の指令生成動作を示すフローチャートである。
【図４】は、照明装置の照明状態と空調制御装置の運転モードの関係を示すタイムチャートである。
【図５】は、空調制御装置をＶＡＶとしたときの、照明装置の照明状態と空調制御装置の運転モードの関係を示すタイムチャートである。
【図６】は、空調制御装置を暖房運転時の空気調和機としたときの、照明装置の照明状態と空調制御装置の運転モードの関係を示すタイムチャートである。
【図７】は、空調制御装置を冷房運転時の空気調和機としたときの、照明装置の照明状態と空調制御装置の運転モードの関係を示すタイムチャートである。
【図８】は、図２の設備制御装置のタイムスケジュール管理による指令生成動作を示すフローチャートである。
【図９】は、照明装置の照明状態と空調制御装置の運転モードの関係を示すタイムチャートである。
【発明を実施するための形態】
【００２４】
＜設備制御システムの構成＞
本発明における実施の形態となる設備制御システムの構成について、図１を参照して、以下に説明する。図１は、本実施形態の設備制御システムの構成を示すブロック図である。
【００２５】
図１に示す設備制御システムは、建物の各階のフロアＦ１〜Ｆｍ（ｍは、自然数）それぞれに対して、空間領域を分割された各部屋の空調設備及び照明設備それぞれの状態を管理する設備制御装置１が１台ずつ設置される。尚、図１には、１つの例として、フロアＦ１の空間領域がｎ領域（ｎは、自然数）に分割され、それぞれの空間領域を居室Ｒ１〜Ｒｎとしたものを図示している。又、居室Ｒ１〜Ｒｎについては、壁によって仕切られた部屋に限るものではなく、広い空間を有する１つの部屋を単に複数に分割した空間領域のみで構成されるものであってもよい。更に、フロアＦ１〜Ｆｍそれぞれに設けられるｍ台の設備制御装置１それぞれは、ＬＡＮ（Local Area Network）などのネットワーク９を通じて監視装置８と通信を行う。
【００２６】
そして、居室Ｒ１には、室内に供給する風量の変更が可能なＶＡＶ（Variable Air Volume）３が空調設備として設置される。そして、複数のＶＡＶ３それぞれから室内に供給される風量が、同じく居室Ｒ１に対して設置された空調制御装置２によって制御される。このとき、ＶＡＶ３より室内に導入される空気を、温水で暖められた空気とすることで、居室Ｒ１に対する暖房機能が実現され、ＶＡＶ３より室内に導入される空気を、冷媒で冷やされた空気とすることで、居室Ｒ１に対する冷房機能が実現される。又、ＶＡＶ３より室内に供給される空気を外気として、居室Ｒ１内の二酸化炭素量が調整されるものであってもよい。更に、ＶＡＶ３より室内に供給される空気を調湿用の空気として、居室Ｒ１内の湿度が調整されるものであってもよい。
【００２７】
一方、居室Ｒ２には、室内の温度や湿度などの室内環境を調整する空気調和機７が空調設備として設置される。この空気調和機７から室内に供給する空気の温度や風量が、同じく居室Ｒ２に対して設置された空調制御装置２によって制御される。居室Ｒ３〜Ｒｎそれぞれについても、不図示であるが、居室Ｒ１，Ｒ２と同様、その室内環境を調整する空調設備と、この空調設備を制御する空調制御装置２とが設置される。尚、空調設備として、以下においては、室内の温度を調整するものを例に挙げて説明するが、上述のように、室内の湿度や二酸化炭素量を調整するものであってもよい。又、空調設備として、上述のＶＡＶ３及び空気調和機７以外に、例えば、外気ダンパの開度や吸排気ファンの回転数によって外気導入量や換気量が制御されるものであってもよい。
【００２８】
このように、居室Ｒ１〜Ｒｎのそれぞれに空調制御装置２が設置されるとき、この居室Ｒ１〜Ｒｎそれぞれにおける空調制御装置２は、フロアＦ１に設置された設備制御装置１と接続される。即ち、居室Ｒ１〜Ｒｎに設置されたｎ台の空調制御装置２それぞれが、１台の設備制御装置１と通信可能な構成とされる。このとき、居室Ｒ１〜Ｒｎそれぞれの空調制御装置２それぞれに対して、アドレスＡ１〜Ａｎが割り当てられることで、設備制御装置１は、設定されたアドレスＡ１〜Ａｎによって各空調制御装置２を管理する。又、空調制御装置２には、人の操作を受け付けるコントローラ４が接続されるとともに、このコントローラ４が居室Ｒ１〜Ｒｎそれぞれに設置される。このコントローラ４の設置により、居室Ｒ１〜Ｒｎ内の人による空調設備の操作が受け付けることができる。
【００２９】
又、居室Ｒ１〜Ｒｎそれぞれには、複数の照明装置６が設置されるとともに、照明設定部であるスイッチ５が設置され、このスイッチ５により、照明装置６それぞれのＯＮ／ＯＦＦ制御や調光制御がなされる。尚、図１では、１つの照明装置６に対して１つのスイッチ５が設置されるものとしているが、複数の照明装置６に対して１つのスイッチ５が設置されるものとしてもよい。又、スイッチ５は、照明装置６のＯＮ／ＯＦＦのための操作を受け付けるスイッチやコントローラであってもよいし、赤外線センサなどで構成されて人を感知したときに照明装置６のＯＮ／ＯＦＦを行う人感センサスイッチであってもよいし、受光センサなどで構成されて室内の照度に応じて照明装置６を調光制御する調光センサスイッチであってもよい。
【００３０】
このように、居室Ｒ１〜Ｒｎのそれぞれに照明設定部となるスイッチ５が設置されるとき、この居室Ｒ１〜Ｒｎそれぞれにおけるスイッチ５は、フロアＦ１に設置された設備制御装置１と接続される。尚、図１では、スイッチ５が設備制御装置１と直接接続される構成とし、スイッチ５が個々の状態を設備制御装置１に直接送信する構成としているが、同一の居室Ｒｋ（ｋは、１〜ｎの自然数）に配置されたスイッチ５の状態をまとめて設備制御装置１に送信するように構成するものとしてもよい。
【００３１】
そして、図１に示すように、スイッチ５が個々に設備制御装置１に、その状態を送信する構成とする場合、スイッチ５個々に識別符号が割り振られるものとしてもよい。これにより、設備制御装置１は、居室Ｒ１〜Ｒｎそれぞれに設置されるスイッチ５の個々の状態を、その識別符号により管理することができる。このとき、居室Ｒ１〜Ｒｎそれぞれのスイッチ５の識別符号には、居室Ｒ１〜Ｒｎそれぞれの空調制御装置２に割り当てられたアドレスＡ１〜Ａｎを含むものとすることで、設備制御装置１は、いずれの居室のスイッチであるかを識別符号より判定できる。
【００３２】
又、同一の居室Ｒｋに配置されたスイッチ５の状態をまとめて設備制御装置１に送信する構成とした場合、例えば、スイッチ５の状態をまとめて記憶して設備制御装置１に送信する通信装置を、スイッチ５と設備制御装置１との間に設置するものとしてもよい。更に、同一の居室Ｒｋに配置されたスイッチ５のうちの１つを、設備制御装置１と通信を行う親機として、その他のスイッチ５を親機となるスイッチ５と通信を行う子機として構成するものとしてもよい。このように構成する場合、設備制御装置１と通信を行う通信装置又は親機となるスイッチ５それぞれについて、居室Ｒ１〜Ｒｎ毎に、空調制御装置２と同様のアドレスＡ１〜Ａｎが割り当てられる。
【００３３】
＜設備制御装置＞
図１に示す構成の設備制御システムにおける設備制御装置の構成について、図２を参照して以下に説明する。図２は、図１の設備制御システムにおける設備制御装置の構成を示すブロック図である。
【００３４】
図２に示す設備制御装置１は、居室Ｒ１〜Ｒｎそれぞれに設置されたスイッチ５と通信を行う照明用通信部１１（「第１通信部」に相当）と、照明用通信部１１での受信結果に基づいて居室Ｒ１〜Ｒｎそれぞれに照明装置６の点灯状態を管理する照明管理部１２と、居室Ｒ１〜Ｒｎそれぞれに設置された空調制御装置２と通信を行う空調用通信部１３（「第２通信部」に相当）と、空調制御装置２に与える指令を生成する空調管理部１４と、時間を計測するタイマ部１５と、ネットワーク９と接続して監視装置８と通信を行う通信部１６（「第３通信部」に相当）と、を備える。
【００３５】
１．基本動作
このように構成される設備制御装置１は、居室Ｒ１〜Ｒｎのスイッチ５からの信号を照明用通信部１１で受信することによって、照明管理部１２で、居室Ｒ１〜Ｒｎそれぞれに設置された照明装置６の点灯状態を認識する。居室Ｒ１〜Ｒｎのスイッチ５は、照明装置６の点灯状態を変更する毎に、その変更した点灯状態を設備制御装置１に送信する。即ち、スイッチ５により照明装置６を点灯（ＯＮ）又は消灯（ＯＦＦ）に切り換えたときや、スイッチ５により照明装置６の照度を変更（調光）したときに、スイッチ５から設備制御装置１に信号が送信される。このとき、スイッチ５から送信される信号には、点灯状態を変化した照明装置６と居室Ｒｋ（ｋは、１〜ｎの自然数、例えば、アドレスＡｋなど）を特定する情報と、変化した点灯状態を示す情報とが含まれる。よって、スイッチ５からの信号を照明用通信部１１で受信した設備制御装置１は、照明管理部１２において、点灯状態が変更した居室Ｒｋ及び照明装置６と、変更された点灯状態とを確認できる。
【００３６】
このように、照明管理部１２は、居室Ｒ１〜Ｒｎそれぞれのスイッチ５からの信号を照明用通信部１１が受信した結果により、居室Ｒ１〜Ｒｎそれぞれに設置された各照明装置６の点灯状態を認知できる。即ち、照明管理部１２は、居室Ｒ１〜Ｒｎ毎に、現在点灯している照明装置６の台数を認識できるため、居室Ｒ１〜Ｒｎそれぞれについて、点灯している照明装置６の台数や各照明装置６の照度より、室内の照度を管理できる。尚、以下では、説明を簡単にするため、点灯している照明装置６の台数によって、室内の照度を管理しているものとする。即ち、照明管理部１２は、居室Ｒ１〜Ｒｎそれぞれにおける、点灯している照明装置６の台数を記憶する。そして、居室Ｒｋのスイッチ５からの信号の受信により照明装置６の消灯又は点灯が確認されると、記憶している居室Ｒｋにおける点灯している照明装置６の台数を変更する。
【００３７】
照明管理部１２において、居室Ｒｋの点灯している照明装置６の台数が変更したとき、その台数と閾値となる台数とを比較する。そして、この比較結果により、点灯している照明装置６の台数が閾値よりも多い台数に変化した場合や、点灯している照明装置６の台数が閾値以下の台数に変化した場合に、照明管理部１２は、居室Ｒｋの人の在／不在を判定し、判定結果を空調管理部１４に通知する。即ち、点灯している照明装置６の台数が閾値以下になったとき、居室Ｒｋにおいて人が不在になったものと判定し、点灯している照明装置６の台数が閾値より多くなったとき、居室Ｒｋに人が入室したものと判定する。尚、点灯している照明装置６の台数が閾値以上の台数に変化した場合や、点灯している照明装置６の台数が閾値よりも少ない台数に変化した場合に、照明管理部１２から空調管理部１４に判定結果を通知するものであってもよい。
【００３８】
空調管理部１４は、基本的に、照明管理部１２からの居室Ｒｋの人の在／不在について通知を受けると、この照明管理部１２からの通知に基づいて、居室Ｒｋの空調制御装置２に与える指令を生成する。即ち、居室Ｒｋが不在となった通知を受けた場合、居室Ｒｋの空調設備による消費電力を低減させる省エネルギーモードで駆動制御するための指令（省エネ制御指令）を生成する。一方、居室Ｒｋが在となった通知を受けた場合、居室Ｒｋ内の人の快適性を重視した通常モードで駆動制御するための指令（通常制御指令）を生成する。このように、空調管理部１４が、照明管理部１２からの通知を受けて居室Ｒｋへの省エネ制御指令／通常制御指令を生成すると、空調用通信部１３が、この省エネ制御指令／通常制御指令を、居室Ｒｋの空調制御装置２に送信する。
【００３９】
よって、例えば、居室Ｒｋに設置される空調設備が、室内温度を調整する空調設備である場合、通常制御指令が与えられる空調制御装置２は、制御対象となる空調設備により調整される室内温度を人が快適と感じる温度とするように、空調設備を制御するための設定温度（設定値）を変更する。一方、省エネ制御指令が与えられる空調制御装置２は、その電力消費を低減させるために、制御対象となる空調設備により調整される室内温度を、通常制御指令が与えられたときの温度よりも緩和させるように、空調設備を制御するための設定温度（設定値）を変更する。即ち、室内温度を調整する空調設備を制御する空調制御装置２は、暖房機能を駆動している場合は、省エネモードにおける設定温度を通常モードに比べて低く設定し、冷房機能を駆動している場合は、省エネモードにおける設定温度を通常モードに比べて高く設定する。
【００４０】
この照明管理部１２及び空調管理部１４による基本動作に基づく指令生成動作を、図３のフローチャートに従って、以下に簡単に説明する。図３に示すように、照明用通信部１１がスイッチ５からの信号を受信すると（ＳＴＥＰ１）、まず、照明管理部１２は居室Ｒｋを認識した後（ＳＴＥＰ２）、スイッチ５の信号により居室Ｒｋの照明装置６の点灯状態を変更して記憶する（ＳＴＥＰ３）。そして、まず、照明管理部１２は、この居室Ｒｋの照明装置６の点灯台数の変更により、省エネモードへの変更条件（入力条件）を満たす状態へ状態が遷移したか否かを確認する（ＳＴＥＰ４）。即ち、居室Ｒｋの照明装置６の点灯台数が閾値以下に変更されたか否かが確認される。
【００４１】
この入力条件を満たす状態への状態遷移がない場合は（ＳＴＥＰ４でＮｏ）、照明管理部１２は、入力条件を満たした状態から入力条件を満たさなくなった状態へ状態が遷移したか否かを確認する（ＳＴＥＰ５）。即ち、居室Ｒｋの照明装置６の点灯台数が閾値より多い台数に変更されたか否かが確認される。一方、入力条件を満たしていない状態から入力条件を満たす状態へ状態遷移した場合（ＳＴＥＰ４でＹｅｓ）、居室Ｒｋが入力条件を満たす状態へ遷移したことが空調管理部１４に通知される。よって、省エネ制御指令が空調管理部１４で生成されて、空調用通信部１３より居室Ｒｋの空調制御装置２に送信される（ＳＴＥＰ６）。
【００４２】
又、入力条件を満たしている状態から入力条件を満たさない状態へ状態遷移した場合（ＳＴＥＰ５でＹｅｓ）、居室Ｒｋが入力条件を満たさない状態へ遷移したことが空調管理部１４に通知される。よって、通常制御指令が空調管理部１４で生成されて、空調用通信部１３より居室Ｒｋの空調制御装置２に送信される（ＳＴＥＰ７）。一方、いずれの状態へも遷移されなかった場合（ＳＴＥＰ５でＮｏ）、照明管理部１２から空調管理部１４への通知はなく、スイッチ５からの信号を受信するための待機状態となる。
【００４３】
このように動作するとき、例えば、図４に示すように、照明管理部１２が１台以上の照明装置６の点灯（ＯＮ）を確認したとき、空調管理部１４が通常制御指令を生成する一方で、照明管理部１２が照明装置６全ての消灯（ＯＦＦ）を確認したとき、空調管理部１４が省エネ制御指令を生成するものとしてもよい。即ち、照明管理部１２は、１台以上の照明装置６が点灯しているとき、室内に人が存在するものと判定し、全ての照明装置６が消灯しているとき、室内に人が不在であるものと判定する。
【００４４】
そして、例えば、居室Ｒ１のようにＶＡＶ３による空調設備が設置される場合は、図５に示すように、空調通信部１３より空調制御装置２に送信される通常制御指令は、省エネルギーモード時よりもＶＡＶ３からの風量を多くする指令によって構成される。一方、空調通信部１３より空調制御装置２に送信される省エネ制御指令は、通常モード時よりもＶＡＶ３からの風量を少なくする指令によって構成される。このとき、省エネルギーモード時の風量を、通常モード時の風量よりも一定量Ｘだけ少ないものに設定するものとしてもよいし、省エネルギーモード時の風量を、通常モード時の風量に１より小さい係数αを乗算した風量に設定するものとしてもよい。尚、通常制御指令又は省エネ制御指令として、設定する風量値Ｗ１，Ｗ２そのものを送信するものとしてもよいし、変更する係数１／α，α又は差分値−Ｘ，＋Ｘを送信するものとしてもよい。又、外気導入や換気を行う空調設備においても、同様に風量が設定されることによって、省エネ制御指令及び通常制御指令がなされる。
【００４５】
又、居室Ｒ２のように空気調和機７による空調設備が設置される場合において、この空気調和機７が暖房機能により動作するときは、図６に示すように、空調通信部１３より空調制御装置２に送信される通常制御指令は、省エネルギーモード時の設定温度を所定温度Ｙだけ高くする指令によって構成される。このとき、通常制御指令として、設定温度を高くする所定温度＋Ｙの値が送信されるものとしてもよいし、通常モードの温度Ｔ１が送信されるものとしてもよい。一方、空調通信部１３より空調制御装置２に送信される省エネ制御指令は、通常モード時の設定温度を所定温度Ｙだけ低くする指令によって構成される。このとき、省エネ制御指令として、設定温度を低くする所定温度−Ｙの値が送信されるものとしてもよいし、省エネルギーモードの温度Ｔ２が送信されるものとしてもよい。
【００４６】
又、空気調和機７が冷房機能により動作するときは、図７に示すように、空調通信部１３より空調制御装置２に送信される通常制御指令は、省エネルギーモード時の設定温度を所定温度Ｚだけ低くする指令によって構成される。一方、空調通信部１３より空調制御装置２に送信される省エネ制御指令は、通常モード時の設定温度を所定温度Ｚだけ高くする指令によって構成される。尚、空気調和機７が暖房機能で動作する場合と同様、通常制御指令又は省エネ制御指令として、設定する温度Ｔ３，Ｔ４そのものを送信するものとしてもよいし、変更する差分値−Ｚ，＋Ｚを送信するものとしてもよい。
【００４７】
２．タイムスケジュール管理
上述のような動作を行う設備制御装置１は、図２に示すように、タイマ１５で測定される現在時刻が空調管理部１４に通知されるため、空調管理部１４において、居室Ｒ１〜Ｒｎそれぞれにおける空調制御装置２のタイムスケジュール管理が可能である。即ち、居室Ｒ１〜Ｒｎそれぞれの空調制御装置２毎に、省エネルギーモードによる制御を行うことを強制的に設定する強制時間帯と、通所モードによる制御を行うことを強制的に設定する禁止時間帯とが設定され、空調管理部１４に記憶される。又、空調管理部１４では、居室Ｒ１〜Ｒｎそれぞれにおける空調制御装置２毎に、その運転モードが通常モード及び省エネルギーモードのいずれであるか記憶することで、各空調制御装置２の制御状態を管理している。
【００４８】
これにより、居室Ｒｋの空調制御装置２が通常モードで動作しているとき、空調管理部１４は、タイマ１５で測定された時刻が強制時間帯の開始時刻であることを認識すると、省エネ制御指令を生成して送信する。尚、この強制時間帯により、居室Ｒｋの空調制御装置２が省エネルギーモードによる制御動作に切り替わるが、空調管理部１４は、照明管理部１２からの通知がなされるまで、通常モードで動作しているものとして記憶する。これにより、居室Ｒｋの空調制御装置２は本来通常モードによる制御動作を行うものであるが、強制時間帯であるために省エネルギーモードによる制御動作を行っていることを、空調管理部１４が認識できる。そして、空調管理部１４は、タイマ１５で測定された時刻により、居室Ｒｋに対して設定された強制時間帯の終了時刻であることを認識すると、通常モードでの動作に復帰させる場合は、通常制御指令を生成する。
【００４９】
又、居室Ｒｋの空調制御装置２が省エネルギーモードで動作しているとき、空調管理部１４は、タイマ１５で測定された時刻が禁止時間帯の開始時刻であることを認識すると、通常制御指令を生成して送信する。尚、この禁止時間帯により、居室Ｒｋの空調制御装置２が通常モードによる制御動作に切り替わるが、空調管理部１４は、照明管理部１２からの通知がなされるまで、省エネルギーモードで動作しているものとして記憶する。これにより、居室Ｒｋの空調制御装置２は本来省エネルギーモードによる制御動作を行うものであるが、禁止時間帯であるために通常モードによる制御動作を行っていることを、空調管理部１４が認識できる。そして、空調管理部１４は、タイマ１５で測定された時刻により、居室Ｒｋに対して設定された禁止時間帯の終了時刻であることを認識すると、省エネルギーモードでの動作に復帰させる場合は、省エネ制御指令を生成する。
【００５０】
この空調管理部１４及びタイマ１５によるタイムスケジュール管理動作に基づく指令生成動作を、図８のフローチャートに従って、以下に簡単に説明する。この図８のフローチャートによる動作は、所定の時間毎（例えば、１分間毎）に実行されるとともに、居室Ｒ１〜Ｒｎそれぞれに対して順番に実行される。尚、図８では、居室Ｒｋに対して実行されるフローチャートを図示する。図８に示すように、空調管理部１４は、居室Ｒｋの空調制御装置２に対するタイムスケジュール管理動作を開始することをタイマ１５で計測された時刻より確認されると、タイムスケジュール管理動作を開始する（ＳＴＥＰ１１）。
【００５１】
そして、空調管理部１４は、ＳＴＥＰ１１でタイマ１５より取得した現時時刻が、禁止時間帯の開始時刻であるか否かを確認する（ＳＴＥＰ１２）。このとき、禁止時間帯の開始時刻である場合は（ＳＴＥＰ１２でＹｅｓ）、空調管理部１４は、居室Ｒｋの空調制御装置２が省エネモードであるか否かを確認する（ＳＴＥＰ１３）。一方、禁止時間帯の開始時刻でない場合は（ＳＴＥＰ１２でＮｏ）、空調管理部１４は、現在時刻が禁止時間帯の終了時刻であるか否かを確認する（ＳＴＥＰ１４）。このとき、禁止時間帯の終了時刻である場合は（ＳＴＥＰ１４でＹｅｓ）、空調管理部１４は、居室Ｒｋの空調制御装置２が省エネモードであるか否かを確認する（ＳＴＥＰ１５）。そして、居室Ｒｋの空調制御装置２が通常モードであることを空調管理部１４が記憶している場合は（ＳＴＥＰ１３又はＳＴＥＰ１５でＮｏ）、図８のフローチャートによる動作を終了する。
【００５２】
又、禁止時間帯の終了時刻でない場合は（ＳＴＥＰ１４でＮｏ）、空調管理部１４は、現在時刻が強制時間帯の開始時刻であるか否かを確認する（ＳＴＥＰ１６）。このとき、強制時間帯の開始時刻である場合は（ＳＴＥＰ１６でＹｅｓ）、空調管理部１４は、居室Ｒｋの空調制御装置２が通常モードであるか否かを確認する（ＳＴＥＰ１７）。一方、強制時間帯の開始時刻でない場合は（ＳＴＥＰ１６でＮｏ）、空調管理部１４は、現在時刻が強制時間帯の終了時刻であるか否かを確認する（ＳＴＥＰ１８）。このとき、強制時間帯の終了時刻である場合は（ＳＴＥＰ１８でＹｅｓ）、空調管理部１４は、居室Ｒｋの空調制御装置２が通常モードであるか否かを確認する（ＳＴＥＰ１９）。そして、居室Ｒｋの空調制御装置２が省エネモードであることを空調管理部１４が記憶している場合は（ＳＴＥＰ１７又はＳＴＥＰ１９でＮｏ）、図８のフローチャートによる動作を終了する。
【００５３】
更に、ＳＴＥＰ１３において、居室Ｒｋの空調制御装置２が省エネモードであることを空調管理部１４が記憶している場合（ＳＴＥＰ１３でＹｅｓ）、又は、ＳＴＥＰ１９において、居室Ｒｋの空調制御装置２が通常モードであることを空調管理部１４が記憶している場合（ＳＴＥＰ１９でＹｅｓ）は、空調管理部１４が通常制御指令を生成し、空調用通信部１３が、居室Ｒｋの空調制御装置２に通常制御指令を送信する（ＳＴＥＰ２０）。即ち、ＳＴＥＰ１３からＳＴＥＰ２０に移行した場合は、禁止時間帯の動作を開始するために、図９のタイムチャートに示すように、省エネモードで動作している居室Ｒｋの空調制御装置２を通常モードで動作させる。又、ＳＴＥＰ１９からＳＴＥＰ２０に移行した場合は、強制時間帯の動作を終了するために、図９のタイムチャートに示すように、省エネモードで動作している居室Ｒｋの空調制御装置２を通常モードで動作させる。
【００５４】
一方、ＳＴＥＰ１５において、居室Ｒｋの空調制御装置２が省エネモードであることを空調管理部１４が記憶している場合（ＳＴＥＰ１５でＹｅｓ）、又は、ＳＴＥＰ１７において、居室Ｒｋの空調制御装置２が通常モードであることを空調管理部１４が記憶している場合（ＳＴＥＰ１７でＹｅｓ）は、空調管理部１４が省エネ制御指令を生成し、空調用通信部１３が、居室Ｒｋの空調制御装置２に省エネ制御指令を送信する（ＳＴＥＰ２１）。即ち、ＳＴＥＰ１５からＳＴＥＰ２１に移行した場合は、禁止時間帯の動作を終了するために、図９のタイムチャートに示すように、通常モードで動作している居室Ｒｋの空調制御装置２を省エネモードで動作させる。又、ＳＴＥＰ１７からＳＴＥＰ２１に移行した場合は、強制時間帯の動作を開始するために、図９のタイムチャートに示すように、通常モードで動作している居室Ｒｋの空調制御装置２を省エネモードで動作させる。
【００５５】
尚、設備制御装置１は、図３のフローチャートに従う動作と図８のフローチャートに従う動作とを、並行して行う。このとき、禁止時間帯及び強制時間帯であることを図８のフローチャートに従う動作で確認すると、図３のフローチャートにおけるＳＴＥＰ６及びＳＴＥＰ７では、居室Ｒｋの空調制御装置２の運転モードを空調管理部１４が記憶するのみで、指令の生成はなされない。よって、居室Ｒｋについて、照明管理部１２からの通知により省エネ制御指令を生成しようとする場合であっても、タイマ１５で計測された時刻が禁止時間帯であるときは、省エネ制御指令が空調管理部１４で生成されない。一方、居室Ｒｋについて、照明管理部１２からの通知により通常制御指令を生成しようとする場合であっても、タイマ１５で計測された時刻が強制時間帯であるときは、通常制御指令を送信することがない。
【００５６】
又、強制時間帯に、照明管理部１２から入力条件を満たす状態に遷移したことを通知された場合、省エネルギーモードであることを空調管理部１４が記憶するため、強制時間帯の終了時刻になっても、空調管理部１４は、通常制御指令を生成しない。一方、禁止時間帯に、照明管理部１２から入力条件を満たさない状態に遷移したことを通知された場合、通常モードであることを空調管理部１４が記憶するため、強制時間帯の終了時刻になっても、照明管理部１２は、省エネ制御指令を生成しない。
【００５７】
更に、空調管理部１４が、居室Ｒ１〜Ｒｎそれぞれの空調制御装置の運転モードを記憶するものとしたが、空調管理部１４が、照明管理部１２に対して、居室Ｒ１〜Ｒｎの照明装置６の点灯状態を確認するものとしてもよい。即ち、居室Ｒｋについて、禁止時間帯の開始時刻及び終了時刻、又は、強制時間帯の開始時刻及び終了時刻それぞれとなったことを空調管理部１４が認識したときに、この空調管理部１４が、照明管理部１２に対して、居室Ｒｋの照明装置６の点灯状態に基づく人の在／不在を確認するものとしてもよい。
【００５８】
３．監視装置への通知動作
更に、設備制御装置１は、図２に示すように、通信部１６によってネットワーク９を介して監視装置８と通信可能な構成となっている。そして、この通信部１６は、空調管理部１４によって管理されている居室Ｒ１〜Ｒｎの空調制御装置２の動作状態が、空調管理部１４より与えられたとき、ネットワーク９を介して監視装置８に送信する。又、空調制御装置２は、居室Ｒｋ内でコントローラ４が操作されると、空調設備と共にＯＮ／ＯＦＦ（電源投入／電源遮断）される。
【００５９】
そして、この空調制御装置２は、コントローラ４によってＯＮ／ＯＦＦ切換が指示されると、設備制御装置１に対してコントローラ４からの指示された動作を通知するとともに、コントローラ４の指示に従ってＯＮ／ＯＦＦとなる。即ち、コントローラ４よりＯＮが指示される場合は、空調制御装置２は、空調設備と共にＯＮとなった後、設備制御装置１と通信することで、ＯＮに切り替わったことを設備制御装置１に通知する。一方、コントローラ４よりＯＦＦが指示される場合は、空調制御装置２は、設備制御装置１と通信することで、ＯＦＦに切り替わったことを設備制御装置１に通知した後、空調設備と共にＯＦＦとなる。よって、設備制御装置１は、空調用通信部１３で、居室Ｒ１〜Ｒｎそれぞれの空調制御装置２と通信を行い、それぞれのＯＮ／ＯＦＦ状態を受信し、居室Ｒ１〜Ｒｎそれぞれの空調制御装置２のＯＮ／ＯＦＦ状態を空調管理部１４に記憶する。
【００６０】
このように、設備制御装置１は、空調用管理部１４において、居室Ｒ１〜Ｒｎそれぞれの空調制御装置２のＯＮ／ＯＦＦ状態を管理している。よって、照明管理部１２が、空調用管理部１４に対して、居室Ｒｋの照明装置６が全て消灯状態となったことを通知した後に、所定時間が経過しても、居室Ｒｋの空調制御装置２がＯＮ状態である場合、通信部１６によって監視装置８と通信することで、居室Ｒｋの空調制御装置２がＯＮであることを監視装置６に通知する。
【００６１】
即ち、空調用管理部１４は、照明管理部１２より、居室Ｒｋの照明装置６が全て消灯時間となったことの通知を受けると、この通知を受けた時刻をタイマ１５より確認し記憶する。そして、空調用管理部１４は、居室Ｒｋの空調制御装置２からＯＦＦとなったことを示す通知を受けていない間、記憶した通知時刻と、定期的にタイマ１５より通知される現在時刻とを比較し、所定時間が経過したか否かを判定する。その後、空調用管理部１４は、居室Ｒｋの空調制御装置２からＯＦＦとなったことを示す通知を受けることなく、照明管理部１２からの通知を受けた時刻から所定時間が経過したことを確認すると、通信部１１６に監視装置８との通信を確立させる。
【００６２】
そして、通信部１６と監視装置８との間で通信が可能な状態となると、居室Ｒｋの空調制御装置２がＯＮであることを監視装置８に通知する。これにより、監視装置８では、ディスプレイやスピーカなどの報知部によって、居室Ｒｋの照明装置６が全て消灯されていると共に空調制御装置２がＯＮであることを報知する。よって、監視装置８からの報知を確認した管理者は、居室Ｒｋが所定時間以上使用されていないにもかかわらず空調制御装置２がＯＮのままであることを確認できる。そして、管理者が、居室Ｒｋの空調制御装置２をＯＦＦする必要があるとした場合は、監視装置８を通じて空調制御装置２をＯＦＦとするようにしてもよいし、直接、居室Ｒｋのコントローラ４を操作して、空調制御装置２をＯＦＦとするようにしてもよい。
【符号の説明】
【００６３】
１                設備制御装置
２                空調制御装置
３                ＶＡＶ（空調設備装置）
４                コントローラ
５                スイッチ（照明設定部）
６                照明装置
７                空気調和機
１１              照明用通信部（第１通信部）
１２              照明管理部
１３              空調用通信部（第２通信部）
１４              空調管理部
１５              タイマ
１６              通信部
【図１】
2010276212.tif 000003
【図２】
2010276212.tif 000004
【図３】
2010276212.tif 000005
【図４】
2010276212.tif 000006
【図５】
2010276212.tif 000007
【図６】
2010276212.tif 000008
【図７】
2010276212.tif 000009
【図８】
2010276212.tif 000010
【図９】
2010276212.tif 000011